(57)【特許請求の範囲】
【請求項１】
繊維質基材を、耐圧容器内において高圧水中で酸素と水素を燃焼させた燃焼ガスの高温により金属チタンを燃焼させて得られたチタン熔融物を含有せしめた水溶液に浸漬処理することによって衣料材料を製造する方法。
【請求項２】
繊維質基材として、不織布又は編織布を使用することを特徴とする請求項１に記載の衣料材料を製造する方法。
【請求項３】
請求項１又は２の製造方法によって得られた衣料材料を使用して、パンティストッキング、靴下、手袋、下着類、シャツ類、健康運動衣、マフラー、サポーター又はリストバンドを製造する方法。
【発明の詳細な説明】
【０００１】
【発明の属する技術分野】
この発明は、繊維質基材をチタンの水溶液に含浸処理して得られたチタン超微粒子を含有又は付着させた繊維製品に関する。
また、本発明は、パンティストッキング、靴下、手袋、下着類、シャツ類、健康運動衣、マフラ−、サポ−タ−、リストバンドなどの製品にチタン超微粒子を含有又は付着させた健康繊維製品に関する。
【０００２】
【従来の技術】
最近の、健康指向の社会風潮を反映して、健康を増進するための商品が注目を集めている。そのなかでも、日常いつも身につけている衣料による改善が、健康を増進するための材料として着目されている。しかしながら、健康繊維製品としては、実開平1-93054 号公報や実開平5-69104 号公報に見られる遠赤外線や磁気の発生素材、実開昭63-199110 号公報に見られる炭化繊維などが知られているが、これらは病気の治療を主たる目的としており、健康機能増進のために繊維質基材を処理する技術は数多くない。
さらに、下着類に付着させることにより脱臭や抗菌性あるいは感触性の向上を図ることも知られており、例えば下着の一部に炭酸ナトリウムや炭酸水素ナトリウムなどの臭気吸収化合物チタンを付着させ脱臭させたもの（特開昭52-21951号公報）、靴下の抗菌・消臭機能の向上のために金属フタロシアニン類で処理したもの（特開昭63-112701 号公報、実開平7-9906号公報) 、二価三価鉄塩などを下着の一部に付着させた抗菌パンツ（実開平2-3402号公報）などがある。
【０００３】
また、香料入りマイクロカプセルを壁材としてアクリル酸系バインダ−で繊維を接合した芳香ストッキング( 特開平4-100901号公報) 、ポリオキシアルキレンゴリコールとスルホン酸金属塩との混合物を含有させた感触性を改良したストッキング（特開平4-241101号公報）、キチンキトサン誘導体で処理して抗菌抗カビ性を改良した不織布( 特開平4-272273号公報) 、酸化チタンを含有しないポリアミド繊維を適宜組み合せた透明性、フラット性、艶性、フィット性などを改良したストッキング( 特開平7-157902号公報) 、キトサン含有液で処理して吸汗発散性を改良した繊維製品( 特開平9-228249号公報) 、ポリスルホン酸と第４級アンモニウム塩を組み合わせて処理して帯電防止性を改善したドレスシャツ（特開平9-268476号公報) 、エピガロカテキンガラ−ドを付着させた靴下・ストッキング類( 特開平10-195701 号公報) 、セラミック粒子を付着させた保温衣料( 特開平11-269761 号公報) 、アスコルビン酸類で処理して清涼感と鎮痛効果を向上せしめた繊維構造物( 特許第 2562233号) 、トルマリンを付着させて足ムレ及び疲労回復を目ざした靴下( 実用新案登録第3040113 号) 、同じく無機塩で処理したもの( 実用新案登録第3028232 号) などが知られているが、健康指向の社会的要請を満たすには程遠かった。
【０００４】
一方、金属チタンは、鉄、銅、アルミニウムなどに比して比較的新しく着目された金属材料であり、その軽くて高温でも強さを発揮できる物性を利用して、工業的にはジェットエンジンなどの航空機宇宙産業、原子力発電又は火力発電における熱交換器の管や管板などのエネルギ−関連分野、さらには眼鏡フレ−ム、ゴルフクラブヘッドなどの日用品分野で多用されており、利用分野はますます拡大する方向にある。
従来、金属チタンを、日用品、健康医療品又は化粧品への活用は、例えばチタン薄膜を表面に有する理容鋏（特開昭62−268584号公報）、金属チタン熔融物による遠赤外線利用（特開昭61-59147号公報、特開平１−155803号公報、特開平３−112849号公報）、寝具（特開平８−322695号公報）、調理用具（特開平９−140593号公報）、アイマスク（特開平10-71168号公報）、健康維持用具（特開平11-285541 号公報、特開平11-285543 号公報）、健康バンド（実用登録第3045835 号）、健康スリッパ（実用登録第3061466 号）などで公知である。しかし、健康の増進のために金属チタンを繊維材料、特に衣類、着衣などに付着させる試みは、未だなされていなかった。
【０００５】
上述するように金属チタンを機能水などとして活用する技術は知られておらず、わずかに関連技術として金属チタンを陰極に使用した電気浸透作用を利用した飲料水製造装置（特開昭50-40779号公報）が公開されている程度であり、チタンの生理活性材料、食品材料又は医療品などの分野への応用は、非常に発展が期待されているが、未だその実態は詳らかでない。
本発明者らは、チタンの健康用途への有効利用について研究した結果、酸素と水素を耐圧容器内における高圧水中で燃焼させた燃焼ガスより生じた高温により金属チタンを燃焼させて得られたチタン熔融物を含有したチタン含有高機能水及びその製造方法と装置を開発し、既に出願（特願2000-136932 号) したが、本発明では、この製造方法及び装置で得られたチタン含有水の用途として繊維質基材の処理に応用したものである。
【０００６】
【解決しようとする課題】
健康を増進するための、健康飲料、健康食品、健康器具などは数多く発表されているが、そのなかでも日常いつも身につけている衣料に、健康増進の作用を有する材料を使用するのが最も効果的と考えられるが、これら健康増進のための繊維製品にかかる公知技術は少ない。
本発明者らは、上記状況に鑑み、健康指向に合致した、健康増進に有効で、安価で、汎用性のある健康繊維製品について鋭意研究した。
そこで、本発明は、繊維質基材を上述のチタンの超微粒子を含む機能水により含浸処理することによって、チタンの有する人体への高機能性を活用して生体細胞に良好な賦活効果を与え、ムレを防止し、疲労を回復するなどの健康増進に寄与する健康繊維製品を提供することを目的とする。
【０００７】
【課題を解決するための手段】
本発明は、前記した従来の問題点を解決するためのもので、繊維質基材にチタンを含有又は付着させた健康繊維製品にかかるものである。
本発明では、新しい健康繊維製品に開発するために、数多くの高機能性を付与するための材料の開発に取組み、機能性付与材料としてチタンを、基材として繊維質基材を選択し、チタン超微粒子を繊維質基材に含有又は付着させることにより、優れた健康繊維製品の提供を実現することができた。
本発明では、繊維質基材をチタン水溶液に含浸処理し、乾燥してなるチタン超微粒子を含有又は付着せしめた健康繊維製品にかかるもので、繊維質基材としての不織布もしくは編織布に対してチタン超微粒子を含有又は付着させてなる健康繊維製品を提供することができる。
【０００９】
本発明の繊維質基材とは、天然繊維、木綿、レ−ヨン、アセテ−トなどの天然、半合成繊維、ポリアクリル系繊維、ポバ−ル系繊維、ポリエステル系繊維又はポリアミド系繊維などの合成繊維から得られた、不織布又は繊維布である。
また、本発明におけるチタン超微粒子含有又は付着の繊維製品としては、パンティストッキング、靴下、手袋、下着類、シャツ類、健康運動衣、マフラ−、サポ−タ−又はリストバンドなどが例示できる。
なお、本発明におけるチタンの水溶液による含浸処理は、通常の処理液に繊維質基材を含浸するか、あるいは繊維質基材に処理液をスプレ−処理することによって、チタン超微粒子を繊維質基材に含浸又は付着せしめる工程を意味する。
【００１０】
本発明で活用するチタンは、従来から”不思議な生命パワ−”と称され、脱臭作用、殺菌作用、防黴作用、難燃作用などの多くの有用な機能を有することが知られているが、人間の身体に接触して使用することにより、健康増進機能という特殊機能を発揮することが、本発明者らにより初めて認識された。この人間の身体に接触して使用することによる健康増進機能の向上についてのメカニズムは、未だ理論的に解明できないが、本発明においても肌に接する部分である繊維質基材にチタンを保持させたことにより、人体の主要部の、いわゆる“ツボ”を通じて、発汗作用や筋肉の新陳代謝作用や血行の浄化作用などが促進されるためと推測される。
【００１１】
【発明の実施の形態】
本発明で使用するチタンの溶融水は、上述の特願2000−136932号に記載するように耐圧容器内において高圧水中で酸素と水素を燃焼させた燃焼ガスの高温により金属チタンを燃焼させて得られたチタン熔融物を含むチタン超微粒子含有の高機能水を使用する。
本発明では、これらチタン含有の水溶液に、先の繊維質基材を含浸処理し、処理液を十分に乾燥してチタン超微粒子を繊維の表面に付着又は保持させることによって上記健康繊維製品が得られる。
本発明では、チタン超微粒子の機能水による処理は、繊維質基材の段階であってもよいし、上記パンティストッキング、靴下、手袋、下着類、シャツ類、健康運動衣、マフラ−、サポ−タ−、リストバンドなど既に製品化された後に含浸処理してもよい。
【００１２】
本発明では、繊維質基材にチタン超微粒子を含有又は付着させた健康繊維製品とすることにより、金属チタンの健康増進機能を有効に活用し得る。
なお、本発明において、本来の作用効果が最も発揮されるのは、パンティストッキングであるが、それ以外の製品においても所期の効果は十分発揮される。
本発明において、繊維質基材をチタン超微粒子を含む水溶液で含浸処理するものであるが、含浸処理後のチタンの繊維表面への付着の程度を電子顕微鏡で拡大したものを図１〜図５で示す。
図１（検体１）は、チタン水溶液をスプレ−処理した繊維質基材の表面状態で、チタン超微粒子の付着程度が鮮明にわかる。
図２（検体２）は、チタン水溶液による含浸処理を施した繊維質基材の表面状態で、同じくチタン超微粒子の付着程度が鮮明にわかる。
図３（検体３）は、未処理のもので、勿論、繊維質基材の表面に何の変化もない。
図４（検体４）は、図１のものの洗濯後のものである。すなわち、スプレ−処理し、５回洗濯した後の繊維質基材の表面状態で、チタン超微粒子の存在がわかる。
図５（検体５）は、図２のものの洗濯後のものである。すなわち、含浸処理し、５回洗濯した後の繊維質基材の表面状態で、チタン超微粒子の存在がわかる。
なお、チタン超微粒子は、写真内矢印（←）で示すものである。
【００１３】
以下に、本発明にかかわる健康繊維製品の効能を実証するための実験結果を示す。
本発明における繊維製品(A),(B) 及び比較品として繊維製品(C),(D) を用いて、パネルテスト（パネラ−５人）の実施した。
【００１４】
テスト対象の繊維製品
(A) チタン含有水で処理し、繊維質基材の表面にチタンを保持させたナイロンパンティストッキング（本発明）。
(B) チタン含有水で処理し、チタンを保持させたポリエステル綿混紡布からなる下着（本発明）。
(C) 無処理の、ナイロンパンティストッキング（比較品）。
(D) 無処理のポリエステル綿混紡布からなる下着（比較品）。
【００１５】
評価基準
発汗作用、疲労回復、気力などの観点から、○〜×でパネラ−５人の自覚症状を平均して判断した。
イ．ａ：発汗作用      ｂ：疲労回復感      ｃ：気力や精力の高揚
ロ．◎：良好      ○：やゝ良好      ◇：可      ×：効果なし
得られたテスト結果を表１に示す。
【００１６】
【表１】
0003735240.tif 000002
【００１７】
以上のテスト結果から、本発明で得られる繊維製品は、チタン超微粒子の付着によって、発汗作用、疲労回復、気力などの健康増進の機能において優れた効能を発揮し、しかも繊維に付着したチタン超微粒子による機能は、洗濯を重ねてもそれ程大きく低下しないことがわかった。
【００１８】
【発明の効果】
以上説明したように、本発明に係るチタン超微粒子を含有するか又は付着した繊維製品は、発汗作用や疲労回復や新陳代謝などの促進を通じての健康増進の機能において優れた効果を有し、高機能の繊維製品としてきわめて有用である。また、これら本発明で得られたチタン超微粒子含有又は付着の健康繊維製品は、優れた耐洗濯性を有している。
【図面の簡単な説明】
【図１】チタン水溶液をスプレ−処理した繊維質基材の表面状態で、チタン超微粒子の付着程度がわかる（検体１）。
【図２】チタン水溶液による含浸処理を施した繊維質基材の表面状態で、同じくチタン超微粒子の付着程度がわかる（検体２）。
【図３】未処理のもので、勿論、表面に何の変化もない（検体３）。
【図４】図１のものの洗濯後のものである。すなわち、スプレ−処理し、５回洗濯した後の繊維質基材の表面で、チタン超微粒子の存在がわかる（検体４）。
【図５】図２のものの洗濯後のものである。すなわち、含浸処理し、５回洗濯した後の繊維質基材の表面で、チタン超微粒子の存在がわかる（検体５）。
【図１】
0003735240.tif 000003
【図２】
0003735240.tif 000004
【図３】
0003735240.tif 000005
【図４】
0003735240.tif 000006
【図５】
0003735240.tif 000007